(57)【特許請求の範囲】
【請求項１】
内胴と、該内胴の中に設けられ指針を駆動する時計モジュールと、該時計モジュールの表側に設けられ基板上に形成されたソーラーセルを有する指針式時計において、前記ソーラーセルの上方にホログラム層が形成されたホログラム表示板が積層してあり、該ホログラム層は、このホログラム層の上下面である反射面とは異なる反射面である仮想鏡面を有し、特定波長の光のみを反射すると共に他の波長の光を透過させる構成を有していて、且つ前記ホログラム層の表面に透明又は半透明の板材で形成された外層を設け、前記ホログラム表示板及び前記外層は指針に対し前記時計ムーブメント側に配置されると共に、前記ホログラム表示板及び前記外層には前記指針を通過させる孔部が形成されていることを特徴とする電子時計。
【請求項２】
前記外層の表面に、模様、マーク、文字が設けられていることを特徴とする請求項１に記載の電子時計。
【請求項３】
前記外層が、合成樹脂製より成り、また半透明で且つ有色であることを特徴とする請求項１又は請求項２に記載の電子時計。
【請求項４】
前記ホログラム表示板は透明樹脂層の上にホログラム層を一体化した反射板であることを特徴とする請求項１に記載の電子時計。
【請求項５】
前記外層の周縁部に周側壁部を形成して、この周側壁部で、少なくとも前記反射板の透明樹脂層とホログラム層とのそれぞれの周側部を包み込んだことを特徴とする請求項４に記載の電子時計。
【発明の詳細な説明】
【０００１】
【発明の属する技術分野】
本発明は、時計表示板等に使用されるホログラム表示板を備えた電子時計の構造に関するものである。
【０００２】
【従来の技術】
従来から時計、電卓、携帯ラジオなどの電源として太陽電池が用いられている。この太陽電池は、通常アモルファスシリコンなどから形成され、光エネルギーを電気エネルギーに変換しており、その機能から光があたる位置、すなわち外部から直接見える表面位置に配設する必要がある。
【０００３】
そして、図７、図８に示すように腕時計の表示板構造に前記太陽電池を用いた場合には、腕時計のモジュール３１の上面に平面視で扇形のソーラーセル３２を４枚、絶縁帯３３を挟んで配置し、このソーラーセル３２の上に透明なポリカーボネイトもしくはアクリル樹脂の透明板３４を積層し、この透明板３４の表面に時字３５、ペットネーム等を印刷等で形成した構成である。
【０００４】
しかしながら、上記のようなソーラー時計表示板構造にあっては、ソーラーセル３２が通常茶褐色または暗青色であるため、表示板が前記色となり、また、ソーラーセル３２とソーラーセル３２との間に絶縁帯３３があるために、この絶縁帯３３が十字線として現れ、色調を含めたデザインが大幅に限定されるばかりか、商品性の悪いものになっていた。
【０００５】
これに対し、太陽電池の前面に干渉フィルタなどを設けて、太陽電池が直接見えないようにした時計などが提案されているが、太陽電池への光エネルギー供給に支障を来すという問題及び時計用文字板としての外観品質が悪いという問題があった。
【０００６】
このような問題を解決するために、例えば、特公平５−３８４６４号公報には、太陽電池と、この太陽電池の前面に設けられて太陽電池の発電に寄与する波長域の光を透過するカラーフィルタと、太陽電池とカラーフィルタとの間に設けられてカラーフィルタにより透過した光の一部を透過し、残りを四方に散乱する散乱層とから成るカラー拡散層とを有する色つき太陽電池が開示されている。
【０００７】
そして、散乱層を白色拡散板とする場合には、アクリル製乳白色板、ハーフミラーに艶消しクリヤラッカーを塗布したもの、片面を粗らしたガラスやプラスチックの反対側にアルミニウムなどでミラーを形成したものなどを用いることが示されている。
【０００８】
【発明が解決しようとする課題】
しかしながら、上記従来の技術にあっては、アクリル製乳白色板は、腕時計の表示板として好まれ、かつ高級感を付与できる金属色調を得ることができなかった。また、ハーフミラーに艶消しクリヤラッカーを塗布したものや、片面を粗らしたガラスやプラスチックの反対側にアルミニウムなどでミラーを形成したものについては、膜厚の不均一により透過率がばらつき、色むらが発生するという問題点があったし、また、上記したいずれの材質も、時計の文字板としての外観品質が劣るという問題点があった。
【０００９】
本発明は、上記の問題点に着目して成されたものであって、その目的とするところは、デザインバリエーションが図られ、微妙な色合いが可能になり、商品性を向上させるホログラム表示板を備えた電子時計を提供することにある。
【００１０】
【課題を解決するための手段】
上記の目的を達成するために、請求項１の発明に係わる電子時計は、内胴の中に設けられ指針を駆動する時計モジュールと、その時計モジュールの表側に設けられ基板上に形成されたソーラーセルを有する指針式時計であって、前記ソーラーセルの上方にホログラム層が形成されたホログラム表示板が積層してあり、該ホログラム層は、このホログラム層の上下面である反射面とは異なる反射面である仮想鏡面を有し、特定波長の光のみを反射すると共に他の波長の光を透過させる構成を有していて、且つ前記ホログラム層の表面に透明又は半透明の板材で形成された外層を設け、前記ホログラム表示板及び前記外層は指針に対し前記時計ムーブメント側に配置されると共に、前記ホログラム表示板及び前記外層には前記指針を通過させる孔部が形成されていることを特徴とする。
【００１１】
かかる構成により、耐光性、耐湿性が向上できて、ホログラム層の表示板構造への組込みが可能になる。そして、前記ホログラム層は、その上下面とは異なる反射面である仮想鏡面により、光源から入射した入射光は、ホログラム層の上面及び下面で反射される表面反射光とは一致しないように傾けられ且つ特定波長の光のみを反射すると共に他の波長の光を透過させる。このために、仮想鏡面で反射される反射光は、ある決められた色を呈して観察者の目に届くことになり、ソーラーセルの色は隠される。
【００１２】
したがって、ホログラム表示板構造を太陽電池付きアナログ時計に使用することにより、デザインバリエーションが図られ、微妙な色合いが可能になり、商品性を向上させる。
【００１３】
【００１４】
【００１５】
また、上記の目的を達成するために、請求項２の発明に係わる電子時計は、請求項１に記載の電子時計構造において、前記外層の表面に、模様、マーク、文字を設けたことを特徴とする。
【００１６】
かかる構成により、上記した請求項１の発明の作用と同様な作用を奏し得るばかりか、前記外層の表面に、模様、マーク、文字を設けることで表示板構造をより機能的にすることができる。
【００１７】
また、上記の目的を達成するために、請求項３の発明に係わる電子時計は、請求項１又は請求項２に記載の電子時計構造において、前記外層が、合成樹脂製より成り、また半透明で且つ有色であることを特徴とする。
【００１８】
かかる構成により、上記した請求項１の発明の作用と同様な作用を奏し得るばかりか、前記ホログラム層の仮想鏡面で反射される反射光に、前記外層の色合いが加味されるために、よりデザインバリエーションが図られ、微妙な色合いが可能になり、商品性を向上させる。
【００１９】
また、上記の目的を達成するために、請求項４の発明に係わる電子時計は、請求項１に記載の電子時計構造において、透明樹脂層にホログラム層を一体に積層した反射板を有する構成としたことを特徴とする。
【００２０】
かかる構成により、耐光性、耐湿性が向上できて、ホログラム層の表示板構造への組込みが可能になる。
【００２１】
したがって、この電子時計を使用することにより、デザインバリエーションが図られ、微妙な色合いが可能になり、商品性を向上させることができる。
【００２２】
また、上記の目的を達成するために、請求項５の発明に係わる電子時計は、請求項４に記載の電子時計構造において、前記外層の周縁部に周側壁部を形成して、この周側壁部で、少なくとも前記反射板の透明樹脂層とホログラム層とのそれぞれの周側部を包み込んだことを特徴とする。
【００２３】
かかる構成により、上記した請求項１の発明の作用と同様な作用を奏し得るばかりか、外層の周縁部の周側壁部で、反射板の透明樹脂層とホログラム層とのそれぞれの周側部を包み込んでいるために、耐光性、耐湿性が向上できて、ホログラム層の表示板構造への組込みが可能になる。
【００３４】
【発明の実施の形態】
以下、本発明の実施例を図面に基づいて説明する。
【００３５】
（実施例１）
図１は本発明に係わるホログラム表示板構造（実施例１）を備えた腕時計の縦断面図、図２は本発明に係わる電子時計のホログラム表示板構造（実施例１）の構成説明図、図３は同電子時計のホログラム表示板構造における入、出射光の説明図である。
【００３６】
本発明に係わる電子時計のホログラム表示板構造は、図２に示すように透明樹脂層であるポリエステル層またはポリエチレンテレフタレート層１にホログラム層２を一体に積層した反射板３を備え、この反射板３のホログラム層２に接着層４を介して透明もしくは半
透明又は半透明で且つ有色の外層５を積層した構成である。この外層５はポリカーボネイト、アクリル、ポリエステル等の合成樹脂層であり、前記外層５に成型で形成したポリカーボネイト板、アクリル板、ポリエステル板のいずれかを使用することができる。
【００３７】
前記ホログラム層２は、その上下面２ａ、２ｂとは異なる反射面である仮想鏡面８を有している。このホログラム層２において、図３に示すように光源６から入射した入射光６ａはホログラム層２の上面２ａ／下面２ｂで反射される表面反射光６ｂ／６ｃ（点線で図示）とは一致しないように傾けられ且つ特定波長の光のみを反射する反射光６ｄが観察者７の目に届くようになっている。
【００３８】
すなわち、入射光６ａは種々の波長を有する光であり無色である。入射光６ａは仮想鏡面８で反射されるのであるが、ここで仮想鏡面８とは、決まった方向に傾けられていて特定波長の光のみを干渉で強め合う波長依存性と、高い反射率で反射させ観察者が特定方向から見たときに特定波長の光のみが見えるような性質をもつ反射角依存性と、更に他の波長の光は透過させる光透過性とを合わせ持つ性質を有している。
【００３９】
このため、仮想鏡面８で反射される反射光６ｄは、ある決められた色を呈して観察者７の目に届くことになる。また、図３の光源方向に観察者７の視点を回転させると、反射光６ｄは観察者７の目には届かないため、前記特定波長の色は見えない。したがって、デザインバリエーションが図られ、微妙な色合いが可能になる。また、反射板３のホログラム層２に接着層４を介して透明もしくは半透明な外層５が積層してあるために、耐光性、耐湿性が向上できて、ホログラム層２の表示板構造への組込みが可能になる。
【００４０】
上記のように構成されたホログラム表示板構造は図１に示すように太陽電池付き時計に組み込むことができる。この太陽電池付き時計において、時計本体１０は内胴１１を備えており、この内胴１１の内部には保持部材１１Ａを介してモジュール１２が設けてあり、このモジュール１２の表側には、ソーラーセル１３を設けた基板１４が設けてある。
【００４１】
そして、前記基板１４上に、上記した本発明に係わる電子時計のホログラム表示板構造Ａが積層してある。すなわち、前記基板１４上に透明樹脂層であるポリエステル層またはポリエチレンテレフタレート層１とホログラム層２とを一体化した反射板３が積層してあり、この反射板３のホログラム層２に接着層４を介して透明もしくは半透明な外層５を積層してある。
【００４２】
また、前記基板１４、反射板３及び外層５のそれぞれの中央には孔部１５、１６、１７が形成してあり、また、前記モジュール１２には二重構成の針軸１８が設けてあって、この針軸１８は前記孔部１５、１６、１７を貫通しており、この針軸１８の外軸１９には時針２０が、内軸２１には分針２２がそれぞれ取り付けてあり、内胴１１の表側には風防２４Ａが装着してあり、内胴１１の底側には防水パッキン２３を介して裏蓋２４Ｂが装着してある。
【００４３】
次に、上記のように構成された電子時計のホログラム表示板構造の作動を説明する。
観察者７は時計の時刻を見るためにある特定の方向にその目をもってくる。時刻は時針２０及び分針２２により読み取ることができる。
【００４４】
一方、外層５から反射板３に入射した入射光６ａは、図３の仮想鏡面８によって反射した特定波長の光６ｄの色を観察者７に届け、反射した特定波長以外の波長の光は透過光６ｅとなってホログラム層２を透過し、ソーラーセル（アモルファスシリコン層）１３で吸収され発電に寄与する光となる。もちろん、発電された電力は基板１４を介してモジュール１２に供給されて針軸１８を駆動する。
【００４５】
なお、図３の光源方向に観察者７の視点を回転させると、あるいは視点をそのままに時計を回転させると、反射光６ｄは観察者７の目には届かないため、前記特定波長の色は見えない。
【００４６】
このような作用により、通常黒っぽい紫色のソーラーセル１３の色は隠され、反射板３で反射された、すなわち、ホログラム層２の仮想鏡面８で反射された反射光６ｄが、ある決められた色を呈して観察者７の目に届くことになる。
【００４７】
上記したように実施例１によれば、前記ホログラム層２は、その上下面２ａ、２ｂとは異なる反射面である仮想鏡面８を有しており、この仮想鏡面８により、光源６から入射した入射光６ａは、ホログラム層２の上面２ａ及び下面２ｂで反射される表面反射光６ｂ、６ｃとは一致しないように傾けられ且つ特定波長の光のみを反射する。このために、仮想鏡面８で反射される反射光６ｄは、ある決められた色を呈して観察者７の目に届くことになり、通常黒っぽい紫色のソーラーセル１３の色は隠される。
【００４８】
したがって、実施例１の発明の電子時計のホログラム表示板構造を使用することにより、耐光性、耐湿性が向上できて、ホログラム層２の表示板構造への組込みが可能になる。そして、デザインバリエーションが図られ、微妙な色合いが可能になり、商品性を向上させる。
【００４９】
（実施例２）
本発明に係わる電子時計のホログラム表示板構造をＥＬ（エレクトロルミネセンス）付き時計に組み込んだ場合を図４に示す。このＥＬ付き時計において、時計本体が備えるモジュール１２の表側には、ＥＬ（エレクトロルミネセンス）セル２５が設けてある。このＥＬセル２５は、内面の上下面に透明電極を設けた透明樹脂板の中に、硫化亜鉛等の蛍光体を分散させ（透明樹脂板の外周は密閉となっている。）その両端に透明な電極を付けたものであり、電極に交流電圧を印加することにより発光させるものである。
【００５０】
そして、前記ＥＬセル２５上に、上記した本発明に係わるホログラム表示板構造Ａが積層してある。すなわち、前記ＥＬセル２５上に透明樹脂層であるポリエステル層またはポリエチレンテレフタレート層１とホログラム層２とを一体化した反射板３が積層してあり、この反射板３のホログラム層２に接着層４を介して透明もしくは半透明又は半透明で且つ有色の外層５を積層してある。そして、この外層５の表面には、文字（時字）、模様、記号２６等が印刷、塗装または鍍金等により形成してある。そして、前記モジュール１２が二重構成の針軸を備え、この針軸の外軸には時針が、内軸には分針がそれぞれ取り付けてあることは、上記した実施例１の太陽電池付き時計と同様であり、時針及び分針は外層５上に位置している。
【００５１】
したがって、観察者７は時計の時刻を見るためにある特定の方向にその目をもってくる。時刻は時針及び分針により読み取ることができる。一方、外層５から反射板３に入射した入射光６ａは、図３の仮想鏡面８によって反射した特定波長の反射光６ｄの色を観察者７に届ける。
【００５２】
なお、図３の光源方向に観察者７の視点を回転させると、あるいは視点をそのままに時計を回転させると、反射光６ｄは観察者７の目には届かないため、前記特定波長の色は見えない。
【００５３】
このような作用により、ＥＬセル２５の色は隠され、反射板３で反射された、すなわち、ホログラム層２の仮想鏡面８で反射された反射光６ｄが、ある決められた色を呈して観
察者７の目に届くことになる。
【００５４】
また、ＥＬセル２５の電極に交流電圧を印加することにより、このＥＬセル２５を発光させる。この発光と、ホログラム層２の仮想鏡面８で反射された反射光６ｄとが一緒になって、微妙な色合いが可能になる。
【００５５】
上記した実施例２によれば、前記ホログラム層２は、その上下面２ａ、２ｂとは異なる反射面である仮想鏡面８を有しており、この仮想鏡面８により、光源６から入射した入射光６ａは、ホログラム層２の上面２ａ及び下面２ｂで反射される表面反射光６ｂ、６ｃとは一致しないように傾けられ且つ特定波長の光のみを反射する。このために、仮想鏡面８で反射される反射光６ｄは、ある決められた色を呈して観察者７の目に届くことになり、このような作用により、ＥＬセルの色は隠される。
【００５６】
また、ＥＬセルの電極に交流電圧を印加することにより、このＥＬセルを発光させると、この発光と、ホログラム層２の仮想鏡面８で反射された反射光６ｄとが一緒になって、微妙な色合いが可能になる。
【００５７】
したがって、ホログラム表示板構造をＥＬセル付き時計に使用することにより、デザインバリエーションが図られ、微妙な色合いが可能になり、商品性を向上させる。また、ホログラム層２の表面に合成樹脂製の外層５を設けたことにより、耐光性、耐湿性が向上できて、ホログラム層２の表示板構造への組込みが可能になる。
【００５８】
（実施例３）
本発明に係わるホログラム表示板構造を通常のアナログ時計に組み込んだ状態を図５に示す。このアナログ時計において、時計本体が備えるモジュール１２の表側には金属板２７が設けてある。
【００５９】
そして、前記金属板２７上に、上記した本発明に係わるホログラム表示板構造Ａが積層してある。すなわち、前記金属板２７上に透明樹脂層であるポリエステル層またはポリエチレンテレフタレート層１とホログラム層２とを一体化した反射板３が積層してあり、この反射板３のホログラム層２に接着層４を介して透明もしくは半透明あるいは半透明で且つ有色の外層５を積層してある。そして、この外層５の表面には、文字（時字）、模様、記号２８等が一体成形により形成してある。そして、前記モジュール１２が二重構成の針軸を備え、この針軸の外軸には時針が、内軸には分針がそれぞれ取り付けてあることは、上記した実施例１の太陽電池付き時計と同様であり、時針及び分針は外層５上に位置している。
【００６０】
したがって、観察者７は時計の時刻を見るためにある特定の方向にその目をもってくる。時刻は時針及び分針により読み取ることができる。一方、外層５から反射板３に入射した入射光６ａは、上記した実施例１の場合と同様に図３の仮想鏡面８によって反射した特定波長の光６ｄの色を観察者７に届ける。
【００６１】
なお、図３の光源方向に観察者７の視点を回転させると、あるいは視点をそのままに時計を回転させると、反射光６ｄは観察者７の目には届かないため、前記特定波長の色は見えない。
【００６２】
このような作用により、金属板２７の色は隠され、反射板３で反射された、すなわち、ホログラム層２の仮想鏡面８で反射された反射光６ｄが、ある決められた色を呈して観察者７の目に届くことになる。
【００６３】
上記した実施例３によれば、前記ホログラム層２は、その上下面２ａ、２ｂとは異なる反射面である仮想鏡面８を有しており、この仮想鏡面８により、光源６から入射した入射光６ａは、ホログラム層２の上面２ａ及び下面２ｂで反射される表面反射光６ｂ、６ｃとは一致しないように傾けられ且つ特定波長の光のみを反射する。このために、仮想鏡面８で反射される反射光６ｄは、ある決められた色を呈して観察者の目に届くことになり、このような作用により、金属板２７の色は隠され、ホログラム層２の仮想鏡面８で反射された反射光６ｄが、ある決められた色を呈して観察者７の目に届くことになる。
【００６４】
したがって、ホログラム表示板構造をアナログ時計に使用することにより、デザインバリエーションが図られ、微妙な色合いが可能になり、商品性を向上させる。また、ホログラム層２の表面に合成樹脂製の外層５を設けたことにより、耐光性、耐湿性が向上できて、ホログラム層２の表示板構造への組込みが可能になる。
【００６５】
（実施例４）
本発明に係わる電子時計のホログラム表示板構造の実施例４は、図６に示すようにポリカーボネイト、アクリル等の合成樹脂層である外層５の周縁部に周側壁部２９を形成して、この周側壁部２９で、反射板３の透明樹脂層であるポリエステル層またはポリエチレンテレフタレート層１とホログラム層２とのそれぞれの周側部を包み込んだ構成である。
【００６６】
上記のように構成されたホログラム表示板構造は通常のアナログ時計に組み込まれる。このアナログ時計において、時計本体が備えるモジュール１２の表側には金属板２７が設けてある。
【００６７】
そして、前記金属板２７上に、上記した本発明に係わるホログラム表示板構造Ａが積層してある。すなわち、前記金属板２７上に透明樹脂層であるポリエステル層またはポリエチレンテレフタレート層１とホログラム層２とを一体化した反射板３が積層してあり、この反射板３のホログラム層２に接着層４を介して透明もしくは半透明あるいは半透明で且つ有色の外層５を積層してある。そして、前記モジュール１２が二重構成の針軸を備え、この針軸の外軸には時針が、内軸には分針がそれぞれ取り付けてあることは、上記した実施例１の太陽電池付き時計と同様であり、時針及び分針は外層５上に位置している。
【００６８】
したがって、観察者７は時計の時刻を見るためにある特定の方向にその目をもってくる。時刻は時針及び分針により読み取ることができる。一方、外層５から反射板３に入射した入射光６ａは、図３の仮想鏡面８によって反射した特定波長の反射光６ｄの色を観察者７に届ける。
【００６９】
なお、図３の光源方向に観察者７の視点を回転させると、あるいは視点をそのままに時計を回転させると、反射光６ｄは観察者７の目には届かないため、前記特定波長の色は見えない。
【００７０】
このような作用により、金属板２７の色は隠され、反射板３で反射された、すなわち、ホログラム層２の仮想鏡面８で反射された反射光６ｄが、ある決められた色を呈して観察者７の目に届くことになる。したがって、デザインバリエーションが図られ、微妙な色合いが可能になり、商品性を向上させることができる。
【００７１】
また、反射板３のホログラム層２に接着層４を介して透明もしくは半透明な外層５が積層してあり、しかも、外層５の周縁部に周側壁部２９を形成して、この周側壁部２９で、反射板３の透明樹脂層であるポリエステル層またはポリエチレンテレフタレート層１とホログラム層２とのそれぞれの周側部を包み込んでいるために、耐光性、耐湿性のより向上を図り得る。
【００７２】
【００７３】
【発明の効果】
以上説明したように、請求項１の発明に係わる電子時計によれば、ホログラム層の表面に外層を設け、ホログラム表示板及び外層に指針を通過させる孔部を形成したことにより、耐光性、耐湿性が向上できて、ホログラム層の表示板構造への組込みが可能になる。
【００７４】
したがって、請求項１の発明のアナログ式電子時計にホログラム表示板構造を使用することにより、デザインバリエーションが図られ、微妙な色合いが可能になり、商品性を向上させることが出来る。
【００７５】
【００７６】
また、請求項２の発明に係わる電子時計によれば、請求項１に記載の電子時計構造において、前記外層の表面に、模様、マーク、文字を設けたことにより、上記した請求項１の発明の効果と同様な効果を奏し得るばかりか、前記外層の表面に、模様、マーク、文字を設けることで表示板構造をより機能的にすることができる。
【００７７】
また、請求項３の発明に係わる電子時計によれば、請求項１又は請求項２に記載の電子時計構造において、前記外層が、合成樹脂製より成り、また半透明で且つ有色であることにより、上記した請求項１の発明の効果と同様な効果を奏し得るばかりか、前記ホログラム層の仮想鏡面で反射される反射光に、前記外層の色合いが加味されるために、よりデザインバリエーションが図られ、微妙な色合いが可能になり、商品性を向上させることが出来る。
【００７８】
また、請求項４の発明に係わる電子時計によれば、請求項１に記載の電子時計構造において、透明樹脂層にホログラム層を一体に積層した反射板を有する構成としたことにより、耐光性、耐湿性が向上できて、ホログラム層の表示板構造への組込みが可能になる。
【００７９】
したがって、この電子時計のホログラム表示板構造を使用することにより、デザインバリエーションが図られ、微妙な色合いが可能になり、商品性を向上させることが出来る。
【００８０】
また、請求項５の発明に係わる電子時計によれば、請求項４記載の電子時計構造において、前記外層の周縁部に周側壁部を形成して、この周側壁部で、少なくとも前記反射板の透明樹脂層であるポリエステル層またはポリエチレンテレフタレート層とホログラム層とのそれぞれの周側部を包み込んだことにより、上記した請求項１の発明の効果と同様な効果を奏し得るばかりか、外層の周縁部の周側壁部で、反射板の透明樹脂層であるポリエステル層またはポリエチレンテレフタレート層とホログラム層とのそれぞれの周側部を包み込んでいるために、耐光性、耐湿性が向上できて、ホログラム層の表示板構造への組込みが可能になる。
【００８１】
また、請求項６の発明に係わる電子時計によれば、請求項１記載の電子時計構造において、ソーラーセルを有する基板上に透明樹脂層であるポリエステル層またはポリエチレンテレフタレート層とホログラム層とを一体化した反射板を積層し、前記反射板のホログラム層に合成樹脂製の外層を積層したことにより、耐光性、耐湿性が向上できて、ホログラム層の表示板構造への組込みが可能になる。
【００８２】
したがって、ホログラム表示板構造を太陽電池付き時計に使用することにより、デザインバリエーションが図られ、微妙な色合いが可能になり、商品性を向上させる。
【００８３】
また、請求項７の発明に係わる電子時計によれば、請求項１記載の電子時計構造におい
て、ＥＬ（エレクトロルミネセンス）セル上に透明樹脂層であるポリエステル層またはポリエチレンテレフタレート層とホログラム層とを一体化した反射板を積層し、前記反射板のホログラム層に合成樹脂製の外層を積層したことにより、耐光性、耐湿性が向上できて、ホログラム層の表示板構造への組込みが可能になる。
【００８４】
また、ＥＬセルの電極に交流電圧を印加することにより、このＥＬセルを発光させると、この発光と、ホログラム層の仮想鏡面で反射された反射光とが一緒になって、微妙な色合いが可能になる。
【００８５】
したがって、ホログラム表示板構造をＥＬセル付き時計に使用することにより、デザインバリエーションが図られ、微妙な色合いが可能になり、商品性を向上させることが出来る。
【００８６】
また、請求項８の発明に係わる電子時計によれば、請求項１記載の電子時計構造において、前記ホログラム層は、該ホログラム層の上下面である反射面とは異なる仮想鏡面を有し、特定波長の光のみを反射すると共に他の波長の光を通過させる構成としたことにより、耐光性、耐湿性が向上できて、ホログラム層の表示板構造への組込みが可能になる。そして、前記ホログラム層は、その上下面とは異なる反射面である仮想鏡面を有しており、この仮想鏡面により、光源から入射した入射光は、ホログラム層の上面及び下面で反射される表面反射光とは一致しないように傾けられ且つ特定波長の光のみを反射する。このために、仮想鏡面で反射される反射光は、ある決められた色を呈して観察者の目に届くことになり、金属板の色は隠され、ホログラム層の仮想鏡面で反射された反射光が、ある決められた色を呈して観察者の目に届くことになる。
【００８７】
したがって、電子機器のホログラム表示板構造をアナログ時計に使用することにより、デザインバリエーションが図られ、微妙な色合いが可能になり、商品性を向上させることが出来る。
【図面の簡単な説明】
【図１】  本発明に係わるホログラム表示板構造（第１実施例）を備えた腕時計の縦断面図である。
【図２】  本発明に係わる電子時計のホログラム表示板構造（第１実施例）の構成説明図である。
【図３】  同電子時計のホログラム表示板構造における入、出射光の説明図である。
【図４】  本発明に係わる電子時計のホログラム表示板構造（第２実施例）の縦断面図である。
【図５】  本発明に係わる電子時計のホログラム表示板構造（第３実施例）の縦断面図である。
【図６】  本発明に係わる電子時計のホログラム表示板構造（第４実施例）の縦断面図である。
【図７】  従来のソーラー時計用表示板構造を備えた腕時計の平面図である。
【図８】  従来のソーラー時計用表示板構造の構成説明図である。
【符号の説明】
１ ポリエステル層またはポリエチレンテレフタレート層
２ ホログラム層
３ 反射板
５ 外層
【図１】
0003847834.tif 000002
【図２】
0003847834.tif 000003
【図３】
0003847834.tif 000004
【図４】
0003847834.tif 000005
【図５】
0003847834.tif 000006
【図６】
0003847834.tif 000007
【図７】
0003847834.tif 000008
【図８】
0003847834.tif 000009